(57)【要約】【課題】簡単な構成で、レンズホルダのホルダ支持部材に対する押し付け圧を所定の押し付け圧にしてレンズ駆動装置の性能のばらつきを低減する。【解決手段】レンズ１１を保持するレンズホルダ１２を、バネ部材１６Ａ，１６Ｂにより上部及び下部固定部材１７Ａ，１７Ｂにそれぞれ連結した構成のレンズ駆動装置１０において、上記下部固定部材１７Ｂとレンズホルダ１２が駆動されていない状態で上記レンズホルダ１２の下端部に当接するホルダ支持部材１７Ｃと別体に作製するとともに、ネジ機構により接合する構成とし、上記ホルダ支持部材１７Ｃの挿入量、すなわち、上記下部固定部材１７Ｂに対する接合位置を調整してレンズホルダ１２の押し付け圧力を一定にするようにした。【選択図】図１
2008122643.tif 000002
【特許請求の範囲】
【請求項１】
レンズを保持するホルダと、このホルダの外側に配置された固定部材と、上記ホルダと上記固定部材とを連結するバネ部材と、上記固定部材に接合され、上記ホルダが駆動されていない状態にて上記ホルダ下端部に所定の圧力で当接するホルダ支持部材とを備えたレンズ駆動装置において、上記ホルダ支持部材の上記固定部材に対する接合位置を調整可能としたことを特徴とするレンズ駆動装置。
【請求項２】
上記ホルダ支持部材と上記固定部材とをネジ機構により接合して成ることを特徴とする請求項１に記載のレンズ駆動装置。
【請求項３】
上記ホルダ支持部材を上記固定部材に対して上記ホルダの駆動方向に摺動可能に構成したことを特徴とする請求項１に記載のレンズ駆動装置。
【請求項４】
レンズを保持するホルダと、このホルダの外側に配置された固定部材と、上記ホルダと上記固定部材とを連結するバネ部材と、上記固定部材に接合され、上記ホルダが駆動されていない状態にて上記ホルダ下端部に所定の圧力で当接するホルダ支持部材とを備えたレンズ駆動装置において、上記ホルダ支持部材を上記ホルダの駆動方向に移動させて上記固定部材に対する接合位置を調整した後、上記固定部材に固定するようにしたことを特徴とするレンズ駆動装置のホルダ支持部材固定方法。
【発明の詳細な説明】
【技術分野】
【０００１】
本発明は、カメラ等に用いられる、対物レンズを保持するレンズホルダを固定部材に弾性支持するバネ部材を備えたレンズ駆動装置に関するものである。
【背景技術】
【０００２】
近年、携帯電話等に搭載されるカメラは画素数が増大されるとともに、ズーム処理やマクロ処理等の高機能化が進んでいることから、搭載されるレンズ系についても、従来の固定焦点のものだけでなく、可動焦点のものも投入されてきている。この可動焦点のレンズ系の駆動方式としては、図３に示すような、ボイスコイルモータを用いたレンズ駆動装置５０が多く用いられている（例えば、特許文献１参照）。
このレンズ駆動装置５０は、軟鉄等の磁性体から成るヨーク５１と、上記ヨーク５１の内壁側に取付けられるマグネット５２と、中央位置にレンズ５３を保持するレンズホルダ５４と、このレンズホルダ５４に装着される駆動用コイル５５と、上記ヨーク５１が装着されるベース５６と、上部固定部材５７Ａと、上記ベース５６を支持する下部固定部材５７Ｂと、上記レンズホルダ５４を上記上下の固定部材５７Ａ，５７Ｂに対して弾性支持する上下のバネ部材５８Ａ，５８Ｂとを備えている。
上記駆動用コイル５５は、上記ヨーク５１と上記マグネット５２とにより印加される、コイル周りに放射状に分布する磁界中に設置されているので、上記駆動用コイル５５に通電すると、上記駆動用コイル５５には、同図の矢印に示すような、被写体の方向(上方)へ向けたローレンツ力が発生して、上記レンズホルダ５４を上記バネ部材５８Ａ，５８Ｂの復元力と釣り合った位置に移動させることができる。したがって、上記駆動用コイル５５に通電する電流値を制御することにより、上記レンズホルダ５４の移動量を制御して、上記レンズ５３の位置を制御することができる。
【特許文献１】特開２００４−２８００３１号公報
【発明の開示】
【発明が解決しようとする課題】
【０００３】
ところで、携帯時の揺れなどにより上記レンズホルダ５４が上下しないように、上記下部固定部材５７Ｂの内周側、すなわち、レンズホルダ５４の下端側に対向する部分に、上記レンズホルダ５４方向に突出するホルダ支持部材５９を設けて、少なくとも下側のバネ部材５８Ｂを、上記レンズホルダ５４が駆動されていない状態において、ある程度伸張させた状態にして、上記レンズホルダ５４を上記ホルダ支持部材５９に押し付けるようにしている。
しかしながら、上記従来のレンズ駆動装置５０では、上記ホルダ支持部材５９は上記下部固定部材５７Ｂの一部として上記下部固定部材５７Ｂと一体に作製されていることから、各部材の寸法精度や組立精度、バネ部材５８Ａ，５８Ｂの微少変形等により、レンズホルダ５４をホルダ支持部材５９に押し付ける圧力が一定とならず、その結果、レンズ駆動装置５０の性能のばらつきが大きくなるとともに、製造工程での歩留まり低下の一因となっていた。
【０００４】
本発明は、従来の問題点に鑑みてなされたもので、簡単な構成で、レンズホルダのホルダ支持部材に対する押し付け圧を所定の押し付け圧にしてレンズ駆動装置の性能のばらつきを低減することを目的とする。
【課題を解決するための手段】
【０００５】
本発明の請求項１に記載の発明は、レンズを保持するホルダと、このホルダの外側に配置された固定部材と、上記ホルダと上記固定部材とを連結するバネ部材と、上記固定部材に接合され、上記ホルダが駆動されていない状態にて上記ホルダ下端部に所定の圧力で当接するホルダ支持部材とを備えたレンズ駆動装置において、上記ホルダ支持部材の上記固定部材に対する接合位置を調整可能としたことを特徴とするものである。
請求項２に記載の発明は、請求項１に記載のレンズ駆動装置であって、上記ホルダ支持部材と上記固定部材とをネジ機構により接合して成ることを特徴とするものである。
請求項３に記載の発明は、請求項１に記載のレンズ駆動装置であって、上記ホルダ支持部材を上記固定部材に対して上記ホルダの駆動方向に摺動可能に構成したものである。
また、請求項４に記載の発明は、レンズを保持するホルダと、このホルダの外側に配置された固定部材と、上記ホルダと上記固定部材とを連結するバネ部材と、上記固定部材に接合され、上記ホルダが駆動されていない状態にて上記ホルダ下端部に所定の圧力で当接するホルダ支持部材とを備えたレンズ駆動装置において、上記ホルダ支持部材を上記固定部材に固定する際に、上記ホルダ支持部材を上記ホルダの駆動方向に移動させて上記固定部材に対する接合位置を調整した後、上記固定部材に固定するようにしたことを特徴とするものである。
【発明の効果】
【０００６】
本発明によれば、固定部材に接合され、ホルダ下端部に所定の圧力で当接するホルダ支持部材の上記固定部材に対する接合位置を、上記ホルダ支持部材と上記固定部材とをネジ機構により接合したり、上記ホルダ支持部材を上記固定部材に対して上記ホルダの駆動方向に摺動可能に構成したりして、上記ホルダ支持部材の上記固定部材に対する接合位置を調整後に、上記ホルダ支持部材を上記固定部材に固定することができるようにしたので、簡単な構成で、レンズホルダのホルダ支持部材に対する押し付け圧を所定の押し付け圧にすることができる。
【発明を実施するための最良の形態】
【０００７】
最良の形態１．
以下、本発明の最良の形態について、図面に基づき説明する。
図１は、本発明の最良の形態１に係るレンズ駆動装置１０の構成を示す模式図である。同図において、１１はレンズ、１２はこのレンズ１１を保持するレンズホルダ、１３は上記レンズホルダ１２に装着される環状の駆動用コイル、１４は上記駆動用コイル１３に放射状に分布する磁界を印加するためのマグネット、１５はヨーク、１６Ａ，１６Ｂは上記レンズホルダ１２を上部固定部材１７Ａと下部固定部材１７Ｂとに弾性支持する上，下のバネ部材、１７Ｃは上記下部固定部材１７Ｂとは別体に作製され、上記下部固定部材１７Ｂと接合される、レンズホルダ１２が駆動されていない状態にて上記レンズホルダ１２の下端部に所定の圧力で当接するホルダ支持部材である。
なお、上側のバネ部材１６Ａは上記上部固定部材１７Ａとスペーサ１８との間に挟持され、下側のバネ部材１６Ｂは、上記マグネット１４及びヨーク１５を支持するベース１９と上記下側固定部材１７Ｂとの間に挟持されている。
【０００８】
本例では、上記下側固定部材１７Ｂの内周側に雌ネジを形成するとともに、上記ホルダ支持部材１７Ｃの外周側に雄ネジを形成し、上記ホルダ支持部材１７Ｃを上記下側固定部材１７Ｂに螺入することにより、上記ホルダ支持部材１７Ｃと上記下側固定部材１７Ｂとを接合するようにしている。これにより、上記ホルダ支持部材１７Ｃの挿入量を変えれば、上記ホルダ支持部材１７Ｃの上記下側固定部材１７Ｂに対する接合位置を上下方向に調整することができる。また、接合位置調整後には上記ホルダ支持部材１７Ｃは上記下側固定部材１７Ｂに固定されているので、上記レンズホルダ１２の押し付け圧は上記ホルダ支持部材１７Ｃの挿入量が多いほど高くなる。
したがって、上記ホルダ支持部材１７Ｃの上記下側固定部材１７Ｂに対する接合位置を調整することにより、レンズホルダ１２の押し付け圧を調整することができるので、当該レンズ駆動装置１０を構成する各部材の寸法精度や組立精度、バネ部材１６Ａ，１６Ｂの微少変形等があっても、レンズホルダ１２の押し付け圧力を一定にすることができ、レンズ駆動装置の性能のばらつきを低減することができる。
【０００９】
このように本最良の形態１によれば、レンズ１１を保持するレンズホルダ１２を、バネ部材１６Ａ，１６Ｂにより上部及び下部固定部材１７Ａ，１７Ｂにそれぞれ連結した構成のレンズ駆動装置１０において、上記下部固定部材１７Ｂとレンズホルダ１２が駆動されていない状態で上記レンズホルダ１２の下端部に当接するホルダ支持部材１７Ｃと別体に作製するとともに、ネジ機構により接合する構成とし、上記ホルダ支持部材１７Ｃの挿入量、すなわち、上記下部固定部材１７Ｂに対する接合位置を調整してレンズホルダ１２の押し付け圧力を一定にするようにしたので、当該レンズ駆動装置１０を構成する各部材の寸法精度や組立精度、バネ部材１６Ａ，１６Ｂの微少変形等があった場合でも、押し付け圧力のばらつきをなくすことができる。
【００１０】
最良の形態２．
上記最良の形態１では、下側固定部材１７Ｂとホルダ支持部材１７Ｃとをネジ機構により接合し、上記ホルダ支持部材１７Ｃの挿入量により、ホルダ支持部材１７Ｃの下側固定部材１７Ｂに対する接合位置を調整してレンズホルダ１２の押し付け圧力を一定にするようにしたが、上記ホルダ支持部材１７Ｃに代えて、図２に示すような、下側固定部材１７Ｂに対してレンズホルダ１２の駆動方向に摺動可能なように構成されたホルダ支持部材１７Ｄを設けてもよい。
この場合には、上記ホルダ支持部材１７Ｄを押し上げ治具等の外部機構３０によりレンズホルダ１２の駆動方向に押し上げれば、上記ホルダ支持部材１７Ｄは上記下側固定部材１７Ｂに沿ってレンズホルダ１２側へ移動して上記レンズホルダ１２を押し上げる。そこで、レンズホルダ１２の押し付け圧力が一定になった位置を接合位置として、上記ホルダ支持部材１７Ｄを接着剤などで上記下側固定部材１７Ｂに固定する。これにより、レンズ駆動装置１０のレンズホルダ１２の押し付け圧力のばらつきをなくすことができるので、製造工程における歩留まりを向上させることができる。
【産業上の利用可能性】
【００１１】
以上説明したように、本発明によれば、簡単な構成で、レンズホルダのホルダ支持部材に対する押し付け圧を所定の押し付け圧にすることができるので、レンズ駆動装置の性能のばらつきを低減することができ、生産性を向上させることができる。
【図面の簡単な説明】
【００１２】
【図１】本発明の最良の形態１に係るレンズ駆動装置の構成を示す模式図である。
【図２】本最良の形態２に係るレンズ駆動装置の構成を示す模式図である。
【図３】従来のレンズ駆動装置の構成を示す図である。
【符号の説明】
【００１３】
１０  レンズ駆動装置、１１  レンズ、１２  レンズホルダ、１３  駆動用コイル、
１４  マグネット、１５  ヨーク、１６Ａ，１６Ｂ  バネ部材、１７Ａ  上部固定部材、
１７Ｂ  下部固定部材、１７Ｃ，１７Ｄ  ホルダ支持部材、１８  スペーサ、
１９  ベース。
【図１】
2008122643.tif 000003
【図２】
2008122643.tif 000004
【図３】
2008122643.tif 000005